(57)【要約】【課題】  フグ等の魚を釣る竿を介して餌を啄む際の魚信（あたり）を釣る人の手に敏感かつ的確に伝えることが出来る釣り用仕掛及びこれに用いる錘の提供。【解決手段】  道糸１の先端に第１のより戻し２を介して取り付けた第１の幹糸３を、おもり（錘）７に穿設した第１の貫通孔５に挿通し、前記第１の幹糸３に第１の環状部材１１を緩装し、続いて第２のより戻し８を取り付け、この第２のより戻し８を介してハリス（鉤素）９とカットウ針１０とを結びつけて連結部となし、少なくとも１以上複数の連結部を有するカットウ針１０からなる第１の仕掛Ｋ１と、前記第１のより戻し２を介して分岐した第２の幹糸４を前記おもり（錘）７に穿設した第２の貫通孔６に挿通し、第２の幹糸４に第２の環状部材１２を緩装し、続いて第３のより戻し１４を介して前記第２の幹糸４に結び付ける連結部を有する餌付け針１３からなる第２の仕掛Ｋ２とから構成される。【選択図】        図１
2005192477.tif 000002
【特許請求の範囲】
【請求項１】
道糸の先端に第１のより戻しを介して取り付けた第１の幹糸を、おもりに穿設した第１の貫通孔に挿通し、前記第１の幹糸に第１の環状部材を緩装し、続いて第２のより戻しを取り付け、この第２のより戻しを介してハリスとカットウ針とを結びつけて連結部となし、少なくとも１以上複数の連結部を有するカットウ針からなる第１の仕掛と、前記第１のより戻しを介して分岐した第２の幹糸を前記おもりに穿設した第２の貫通孔に挿通し、第２の幹糸に第２の環状部材を緩装し、続いて第３のより戻しを介して前記第２の幹糸に結び付ける連結部を有する餌付け針からなる第２の仕掛とから構成されることを特徴とする釣り用仕掛。
【請求項２】
第２の幹糸の長さを第１の幹糸の長さよりも長くし、第１のより戻しに第１、第２の幹糸を連結し、それぞれ第１、第２の貫通孔及び第１、第２の環状部材を介して前記第１の幹糸の下端を第２のより戻しに結び付け、そして第２の幹糸の下端を第３のより戻しに結び付けた時に、第３のより戻しが第２のより戻しの位置よりも低くなるようにし、第１の幹糸に対して第２の幹糸の方が長さに余裕が生じ、第２の幹糸が伸縮自在、且つ第２の貫通孔の内部を摺動自在となるように構成したことを特徴とする請求項１記載の釣り用仕掛。
【請求項３】
カットウ針や餌付け針等の釣り針と幹糸やハリス等の釣り糸との連結部を筒体で被覆し、針の振れ止め手段を形成したことを特徴とする請求項１記載の釣り用仕掛。
【請求項４】
前記針の振れ止め手段を形成する筒体は、底部開放有頭筒状を成し、上半部が截頭円錐形状を呈し、金属を素材とし、糸通し孔を頭部に穿設し、次いで１乃至複数の係止部となる拡径段付き孔から構成され、更に底部に向かって半割りとなるようにかしめ用の切り込み部を有し、針と糸の連結部を被覆してかしめ固定可能としたことを特徴とする請求項３記載の釣り用仕掛。
【請求項５】
前記針の振れ止め手段を形成する筒体は、底部開放有頭筒状を成し、上半部が半球状を呈し、下半部が先細りの筒状であって、金属を素材とし、糸通し孔を頭部に穿設し、次いで１乃至複数の係止部となる拡径段付き孔から構成され、更に底部に向かって半割りとなるようにかしめ用の切り込み部を有し、針と糸の連結部を被覆してかしめ固定可能としたことを特徴とする請求項３記載の釣り用仕掛。
【請求項６】
ラグビーボール類似形状の釣り用仕掛に用いるおもりであって、第１の幹糸を形成するカットウ中通し糸を挿通するためのおもりの心に沿って穿設した第１の貫通孔と、第２の幹糸を形成する餌付け中通し糸を挿通するための前記第１の貫通孔に近接して穿設した第２の貫通孔を備えて成ることを特徴とする釣り用仕掛に用いるおもり。
【発明の詳細な説明】
【技術分野】
【０００１】
本発明は、特にフグのカットウ釣り専用として高機能を有する釣り用仕掛及びこれに用いるおもりに関する。
【背景技術】
【０００２】
従来のフグ釣り用仕掛は、図３に示すように、卵または茄子類似形状を呈するフグ専用のおもり（錘）２１の長手方向に沿って両端に細い鋼鉄線をＵ字状またはＣ字状に曲げた餌付け針２２となし、この針先を突出して根本部分を前記おもり２１の下部近傍に埋め込み固定し、またおもり２１の頭部と下部の軸心上にリング状掛止具２３を埋め込み、前記下部のリング状掛止具２３にハリス２４を連結し、このハリス２４の先端にカットウ針２５−１、２５−２を結び付け、おもり２１の頭部のリング状掛止具に着脱可能なより戻しを介して道糸２０につなぐようにした釣り用仕掛が一般的である。
【０００３】
１）釣りの仕掛として「素人であっても容易にカワハギを釣ることができる仕掛として、釣り糸と同一直線状にある軸に対して回転自在な状態で設けられた回転体と、該回転体から外方向に延在し、かつ釣り針を把持することができる枝部材と、を備えたことを特徴とする釣りの仕掛。」という公報が開示されている（例えば、特許文献１参照。）。
【０００４】
また、２）釣り用仕掛として「アジ等の生き餌を用いてイカ釣りやヒラメ釣り等を行う際に使用する仕掛に関するものであって、従来のようなヤエンの投入等の面倒な操作を必要とすることなく、確実にイカを取り込むことができるようにしようとするものとして、下方側に掛け針を有する幹糸と、一方側に掛け具を有する枝糸とからなり、枝糸を幹糸に沿って移動可能な状態として配置させると共に、係止具により枝糸の他方側を幹糸の中間位置に係止させ得るようにし、枝糸に加わる力により係止状態が解除されるように構成したことを特徴とする釣り用仕掛。」という公報が開示されている（例えば、特許文献２参照。）。
【特許文献１】特開２００１−２３１４１９号公報
【特許文献２】特開２００３−１３４９８０号公報
【発明の開示】
【発明が解決しようとする課題】
【０００５】
しかしながら上述の従来例では、フグ専用仕掛の場合、おもり（錘）に直接餌付け針とカットウ針仕掛けを固着しているため、フグが餌付け針に取り付けた餌を啄む時の魚信（あたり）がおもり自体に吸収され道糸を通して釣人の手に直接敏感に伝えることが困難であった。
【０００６】
また、１）の場合は、カワハギを釣るための仕掛であり、また２）の場合は、イカ釣りやヒラメ釣りに使用する場合の仕掛であって、構成要件を異にするもので、フグ釣り用としては不向きである。
【０００７】
本発明は、上述の事情に鑑みて成されたもので、フグ等の魚を釣る竿を介して餌を啄む際の魚信（あたり）を釣る人の手に敏感かつ的確に伝えることが出来る釣り用仕掛及びこれに用いるおもりを提供することを目的とする。
【課題を解決するための手段】
【０００８】
本発明は、下記構成を備えることにより上記課題を解決できるものである。
【０００９】
（１）道糸の先端に第１のより戻しを介して取り付けた第１の幹糸を、おもりに穿設した第１の貫通孔に挿通し、第１の幹糸の先端に第１の環状部材を緩装し、続いて第２のより戻しを取り付け、この第２のより戻しを介してハリスとカットウ針とを結びつけて連結部となし、少なくとも１以上複数の連結部を有するカットウ針からなる第１の仕掛と、前記第１のより戻しを介して分岐した第２の幹糸を前記おもりに穿設した第２の貫通孔に挿通し、第２の幹糸に第２の環状部材を緩装し、続いて第３のより戻しを介して前記第２の幹糸に結び付ける連結部を有する餌付け針からなる第２の仕掛とから構成される釣り用仕掛。
【００１０】
（２）第２の幹糸の長さを第１の幹糸の長さよりも長くし、第１のより戻しに第１、第２の幹糸を連結し、それぞれ第１、第２の貫通孔及び第１、第２の環状部材を介して前記第１の幹糸の下端を第２のより戻しに結び付け、そして第２の幹糸の下端を第３のより戻しに結び付けた時に、第３のより戻しが第２のより戻しの位置よりも低くなるようにし、第１の幹糸に対して第２の幹糸の方が長さに余裕が生じ、第２の幹糸が伸縮自在、且つ第２の貫通孔の内部を摺動自在となるように構成した前項（１）記載の釣り用仕掛。
【００１１】
（３）カットウ針や餌付け針等の釣り針と幹糸やハリス等の釣り糸との連結部を筒体で被覆し、針の振れ止め手段を形成した前項（１）記載の釣り用仕掛。
【００１２】
（４）前記針の振れ止め手段を形成する筒体は、底部開放有頭筒状を成し、上半部が截頭円錐形状を呈し、金属を素材とし、糸通し孔を頭部に穿設し、次いで１乃至複数の係止部となる拡径段付き孔から構成され、更に底部に向かって半割りとなるようにかしめ用の切り込み部を有し、針と糸の連結部を被覆してかしめ固定可能とした前項（３）記載の釣り用仕掛。
【００１３】
（５）前記針の振れ止め手段を形成する筒体は、底部開放有頭筒状を成し、上半部が半球状を呈し、下半部が先細りの筒状であって、金属を素材とし、糸通し孔を頭部に穿設し、次いで１乃至複数の係止部となる拡径段付き孔から構成され、更に底部に向かって半割りとなるようにかしめ用の切り込み部を有し、針と糸の連結部を被覆してかしめ固定可能とした前項（３）記載の釣り用仕掛。
【００１４】
（６）ラグビーボール類似形状の釣り用仕掛に用いるおもりであって、第１の幹糸を形成するカットウ中通し糸を挿通するためのおもりの心に沿って穿設した第１の貫通孔と、第２の幹糸を形成する餌付け中通し糸を挿通するための前記第１の貫通孔に近接して穿設した第２の貫通孔を備えて成る釣り用仕掛に用いるおもり。
【発明の効果】
【００１５】
本発明によれば、フグ等の魚を釣る竿を介して餌を啄む際の魚信（あたり）を釣る人の手に敏感かつ的確に伝えることが出来、釣果を向上させることが出来る釣り用仕掛及びこれに用いるおもりを提供することができる。
【発明を実施するための最良の形態】
【００１６】
以下に、本発明に係る釣り用仕掛及びこれに用いるおもりの実施の形態を説明する。
【００１７】
図１は、本発明に係る釣り用仕掛の全体構成例を示す一部破断正面図、図２（ａ）、（ｂ）、（ｃ）、（ｄ）、（ｅ）、（ｆ）は、針の振れ止め手段の拡大説明図、図３は、従来例における釣り用仕掛の構成例を示す正面図である。
【００１８】
尚、図１のＦ及びＧは、透視図的に表示してある。
【実施例】
【００１９】
本発明に係る釣り用仕掛は、特にフグのカットウ釣りに好適である。
【００２０】
図面に基いて構成例を以下に説明する。
【００２１】
道糸１の先端に第１のより戻し２を介して取り付けた第１の幹糸３を、おもり（錘）７に穿設した第１の貫通孔５に挿通し、第１の幹糸３の先端に、例えばビーズ玉からなる第１の環状部材１１を緩装し、続いて第２のより戻し８を取り付け、この第２のより戻し８を介してハリス（鉤素）９にカットウ針１０を結び付けて連結部となし、少なくとも１以上複数の連結部を有するカットウ針１０からなる第１の仕掛Ｋ１と、前記第１のより戻し２を介して分岐した第２の幹糸４を前記錘７に穿設した第２の貫通孔６に挿通し、前記第２の幹糸４に、例えばビーズ玉からなる第２の環状部材１２を緩装し、続いて第３のより戻し１４を介して前記第２の幹糸４に結び付ける連結部を有する餌付け針１３からなる第２の仕掛とから構成される。
【００２２】
第１の仕掛Ｋ１を形成するカットウ針１０の仕掛と第２の仕掛Ｋ２を形成する餌付け針１３の仕掛とを別々に作製し、例えば第１の仕掛Ｋ１を形成するカットウ針１０の仕掛は、第１の幹糸３をほぼ１０ｃｍ程度の長さとして錘７に穿設された第１の貫通孔５に挿通し、第１の幹糸３の上端を第１のより戻し２に連結すると共に、第１の幹糸３の下端を第１の環状部材１１を介して前記第１の幹糸３の下端を第２のより戻し８に結び付け、そして第２の幹糸４の下端を第３のより戻し１４に結び付けた時に、第３のより戻し１４が第２のより戻し８の位置よりも低くなるようにし、第１の幹糸３に対して第２の幹糸４の方が長さに余裕（図１のＬ）が生じ、釣り糸を垂らした時、第１の仕掛を構成するカットウ針仕掛けの第１の幹糸３が第１の環状部材１１を形成するビーズ玉及び第２のより戻し８が錘７を係止して錘７の重量を支えて垂直に伸びた状態を維持する。このため第２の幹糸４が長さの余裕Ｌの分だけ伸縮自在、且つ第２の貫通孔６の内部を摺動自在となるように構成してある。
【００２３】
更に、カットウ針１０や餌付け針１３等の釣り針と幹糸やハリス９等の釣り糸との連結部を筒体で被覆し、針の振れ止め手段Ｆ、Ｇを形成したことを特徴とする。
【００２４】
この針の振れ止め手段Ｆは、図２（ａ）、（ｂ）、（ｃ）に示すように、本実施例では、複数の釣り針を束ねたカットウ針１０とハリス９等の釣り糸との連結部を固定するためのもので、形状としては、底部開放有頭筒状を成し、上半部Ｆ１が截頭円錐形状を呈し、例えば真鍮や銅などの金属を素材として用い、糸通し孔ｄ１を頭部に穿設し、次いで１乃至複数の係止部となる拡径段付き孔ｄ２、ｄ３から構成され、更に底部に向かって半割りとなるようにかしめ用の切り込み部ｃ１×ｃ１ｈを有し、針と糸の連結部を被覆してかしめ固定可能としてある。
【００２５】
また、図２（ｄ）、（ｅ）、（ｆ）に示すように、餌付け針１３の振れ止め手段Ｇは、底部開放有頭筒状を成し、上半部が半球状Ｇ１を呈し、下半部が先細りの筒状Ｇ２であって、前述のように例えば真鍮や銅などの金属を素材として用い、糸通し孔ｄ１１を頭部に穿設し、次いで１乃至複数の係止部となる拡径段付き孔ｄ２１ｈから構成され、更に底部に向かって半割りとなるようにかしめ用の切り込み部ｃ１１×ｃ１１ｈを有し、針と糸の連結部を被覆してかしめ固定可能としてある。即ち、振れ止め手段Ｆ、Ｇを予め釣り糸に通しておき、釣り糸を針１０、１３の例えば結び目となる輪１０ａ、１３ａ（図２（ｃ）、（ｆ）参照）にハリス９、または幹糸４を挿し通して引っ掛け折り曲げ、この折り曲げ部分を図示するように、市販の連結部留め具Ｗｓでかしめ締めし、次いで振れ止め手段ＦまたはＧを引き下ろして連結部全体に被せ、切り込み部ｃ１×ｃ１ｈ、ｃ１１×ｃ１１ｈ（図２（ｃ）、（ｆ）参照）をペンチやプライヤ等の工具で押しつぶして、所謂「かしめ」締めをして固定する。こうすることで、釣り糸と釣り針との連結部がしっかりと固定され、釣り糸を垂らした時、振れたり揺れたりするのを抑えることができ、釣果の向上に大いに寄与することが出来る。材質が真鍮や銅の場合はクロームまたはニッケル等のメッキ材を用いる。尚、材質をステンレスとしても良い。
【００２６】
因みにカットウ針１０とハリス９の連結部に用いる針の振れ止め手段Ｆの本実施例における寸法は、頭部から底部までの全長がほぼ２４〜２５ｍｍ、外径ｄ４が約４ｍｍ、糸通し孔ｄ１×ｄ１ｈは０．８ｍｍφ×２〜３ｍｍ、切り込み部ｃ１×ｃ１ｈは１．５×１５ｍｍ、以下ｄ２×ｄ２ｈは２．２ｍｍφ×８．０ｍｍ、ｄ３×ｄ３ｈは３．５ｍｍφ×１３．０ｍｍ、であり、また、餌付け針１３と幹糸４の連結部に用いる針の振れ止め手段Ｇの本実施例における寸法は、頭部から底部までの全長がほぼ１７〜１８ｍｍ、上半部Ｇ１となる頭部の半球部分の外径が約４ｍｍφ、糸通し孔ｄ１１×ｄ１１ｈは０．８ｍｍφ×２〜３ｍｍ、切り込み部ｃ１１×ｃ１１ｈは１．５×９ｍｍ、以下ｄ２１×ｄ２１ｈは２．２ｍｍ×１５ｍｍとした。
【００２７】
カットウ針１０とハリス９の連結部に用いる針の振れ止め手段Ｆは、強固に作る必要があり、餌付け針１３と幹糸４の連結部に用いる針の振れ止め手段Ｇの場合は餌付け針１３に付ける餌の邪魔にならないようにするため、下半部Ｇ２を先細りの形状としてある。
【００２８】
各部の寸法は大きさをイメージする為に示したもので、本実施例に用いた寸法に限定されるものではない。
【００２９】
尚、本実施例では、針の振れ止め手段の形状をＦ、Ｇとして特定して説明したが、形状を限定するものではなく、単にチューブ状のものを連結部に被覆して頭部と底部をかしめ締めする構成としても良い。要は連結部がしっかりと固定され、振れたり揺れたり、折れ曲がったりしなければ良い。
【００３０】
この仕掛に用いるおもり７は、例えば両端がやや細めのラグビーボール類似形状を呈し、第１の幹糸３を形成するカットウ中通し糸を挿通するためのおもり７の心に沿って穿設した第１の貫通孔５と、第２の幹糸４を形成する餌付け中通し糸を挿通するための前記第１の貫通孔５に近接して穿設した第２の貫通孔６を備え、「双孔中通し錘」（以下、単に錘７と称す）を構成したことを特徴とする。
【００３１】
即ち、錘７は第１の仕掛Ｋ１を形成するカットウ針仕掛の長さ１０ｃｍ程の第１の幹糸３に支えられ、第２の仕掛Ｋ２を形成する餌付け針仕掛の長さが１ｃｍ長い（Ｌ）１１ｃｍ程の第２の幹糸４は錘７の第２の貫通孔６を通して餌を啄むフグの魚信（あたり）が錘７に吸収されることなく的確に道糸１を通して釣人の手に伝搬するようになっている。
【００３２】
尚、図１及び図２の中で一部、分かり易くするために、針の振れ止め手段Ｆ及びＧを透視図的に描いてある。
【００３３】
上述の構成に基づいて作用を説明する。
【００３４】
第１の幹糸３を錘７の第１の貫通孔５に挿通し、第１の環状部材を形成するビーズ玉１１を潜らせて第２のより戻し８に連結し、第２のより戻し８にハリス９の一端を結び付け、このハリス９の他端及び／または途中にカットウ針１０を結び付ける。第２のより戻し８と第１の幹糸３を連結し、錘７の第１の貫通孔５の下端部と第２のより戻し８の間に第１の環状部材１１を形成するビーズ玉を介在させたことで、錘７は第１の環状部材１１を形成するビーズ玉に支えられ一定位置で安定し、第１の仕掛Ｋ１となるカットウ針仕掛の働きが良好になる。
【００３５】
道糸１の先端に連結した第１のより戻し２に結び付けた第２の仕掛Ｋ２となる餌付け針仕掛けの第２の幹糸４は第１の仕掛Ｋ１となるカットウ針仕掛の第１の幹糸３より１ｃｍ長く保ち、錘７に穿設された第２の貫通孔６に第２の幹糸４を挿通し、第２の環状部材１２となるビーズ玉を潜らせ、第２の幹糸４の先端に餌付け針１３を結び取り付ける。第２の仕掛Ｋ２を形成する餌付け針仕掛けの第２の幹糸４はカットウ針仕掛けの第１の幹糸３より１ｃｍ（Ｌ）程長く保たれている為、第１の仕掛Ｋ１を形成するカットウ針仕掛と錘７の抵抗を受けること無く、第２の仕掛Ｋ２を形成する餌付け針仕掛全体が独自に伸縮、摺動することにより、餌付け針１３に付けた餌を啄む際のフグの魚信（あたり）が錘７に吸収されることなく道糸１を通して釣人の手に敏感かつ確実に伝搬する。
【００３６】
第２の仕掛Ｋ２を形成する餌付け針仕掛（餌付け中通し仕掛）の第２の幹糸４を介して微妙なフグの魚信（あたり）を釣人が捕らえ、その魚信（あたり）に合わせて竿を強く持ち上げるその時、フグはカットウ針１０に掛かる仕掛けである。勿論餌付け針１３でフグを釣ることも出来る。
【００３７】
尚、カットウ針１０や餌付け針１３等の釣り針と幹糸やハリス９等の釣り糸との連結部を筒体で被覆し、針の振れ止め手段Ｆ、Ｇを形成したことで、釣り糸を垂らした時に、釣り糸に対して釣り針が勝手に揺れ動いたり振れたりするのを防ぐことが出来ると同時に連結部から折れ曲がったりせず、針自体が釣り糸に沿って垂直姿勢を維持することが可能となった。
【００３８】
上述の針の振れ止め手段によって、第１の仕掛を形成するカットウ針仕掛けの第１の幹糸３が垂直に伸びている為カットウ針１０にフグが掛かりやすく、従って捕獲率を極端に向上させることが出来た。
【００３９】
尚、実施例において、第１、第２の幹糸３、４の長さを１０ｃｍ、１１ｃｍと特定して説明したが、長さを限定するものではない。また余裕Ｌの長さも１ｃｍに限定するものではない。
【００４０】
尚また、第１の仕掛Ｋ１を形成するカットウ針仕掛けと第２の仕掛Ｋ２を形成する餌付け針仕掛に取り付けられている第１の幹糸３、及び第２の幹糸４の材質は、鋼鉄で作られている極細い針金を幾本も縒って作られたワイヤーに合成樹脂を被覆して圧着したナイロンワイヤーを使用しており、その為第１の仕掛Ｋ１を形成するカットウ針仕掛の第１の幹糸３と第２の仕掛Ｋ２を形成する餌付け針仕掛けの第２の幹糸４が絡み合っても常に伸長状態を保ちやすく、癖が付きにくく、仕掛け全体の動きが良好に保たれる。
【００４１】
以上説明したように、本発明に係る釣り用仕掛及びこれに用いる錘を使用することで、著しく釣果を高めることが出来た。
【産業上の利用可能性】
【００４２】
本発明によれば、フグ等の魚を釣る竿を介して餌を啄む際の魚信（あたり）を釣る人の手に敏感かつ的確に伝えることが出来、釣果を向上させることが出来る釣り用仕掛及びこれに用いる錘を提供することができる。
【図面の簡単な説明】
【００４３】
【図１】本発明に係る釣り用仕掛及びこれに用いる錘の構成例を示す一部破断正面図
【図２】（ａ）、（ｂ）、（ｃ）、（ｄ）、（ｅ）、（ｆ）  針の振れ止め手段の拡大説明図
【図３】従来例における釣り用仕掛の構成例を示す正面図
【符号の説明】
【００４４】
１  道糸
２  第１のより戻し
３  第１の幹糸（カットウ中通し糸）
４  第２の幹糸（餌付け中通し糸）
５  第１の貫通孔
６  第２の貫通孔
７  おもり（錘または双孔中通し錘）
８  第２のより戻し
９  ハリス
１０  カットウ針
１１  第１の環状部材（ビーズ玉）
１２  第２の環状部材（ビーズ玉）
１３  餌付け針
１４  第３のより戻し
２０  道糸
２１  フグ専用の錘
２２  餌付け針
２３  リング状係止具
２４  ハリス（鉤素）
２５−１、２５−２  カットウ針
Ｆ、Ｇ  針の振れ止め手段
ｄ１、ｄ１１  糸通し孔
ｄ２、ｄ３、ｄ２１  段付き孔
ｃ１×ｃ１ｈ、ｃ１１×ｃ１１ｈ  かしめ用の切り込み部
【図１】
2005192477.tif 000003
【図２】
2005192477.tif 000004
【図３】
2005192477.tif 000005